(57)【要約】【課題】観察者の位置を特定することを可能とする表示装置及びシャッタメガネを提供する。【解決手段】表示装置１００は、少なくとも２以上の発光部１１０と、少なくとも２以上の発光部１１０を制御する制御部１３０とを備える。少なくとも２以上の発光部１１０は、所定の間隔を空けて配置されている。制御部１３０は、少なくとも２以上の発光部１１０が所定周期で発光するように、少なくとも２以上の発光部１１０を制御する。【選択図】図１
2012249157.tif 000002
【特許請求の範囲】
【請求項１】
複数種類の画像を表示する表示装置であって、
少なくとも２以上の発光部と、
前記少なくとも２以上の発光部を制御する制御部とを備え、
前記少なくとも２以上の発光部は、所定の間隔を空けて配置されており、
前記制御部は、前記少なくとも２以上の発光部が所定周期で発光するように、前記少なくとも２以上の発光部を制御することを特徴とする表示装置。
【請求項２】
前記表示装置が映像を表示する表示面は、水平面であることを特徴とする請求項１に記載の表示装置。
【請求項３】
前記表示装置は、投写型映像表示装置であり、
前記表示面は、前記投写型映像表示装置によって映像が投写される面であることを特徴とする請求項２に記載の表示装置。
【請求項４】
前記複数種類の画像は、少なくとも右眼画像及び左眼画像を含む立体画像であることを特徴とする請求項１に記載の表示装置。
【請求項５】
表示装置によって表示される複数種類の画像を視認するためのシャッタメガネであって、
１対のシャッタと、制御部と、受光部とを備え、
前記表示装置は、所定の間隔を空けて配置されており、所定周期で発光する少なくとも２以上の発光部を有しており、
前記受光部は、前記少なくとも２以上の発光部から出射される光を受光し、
前記制御部は、前記受光部によって受光される光の受光間隔に基づいて、前記表示装置に対する前記シャッタメガネの相対的な位置を特定し、
前記制御部は、特定された位置に基づいて、前記１対のシャッタを制御することを特徴とするシャッタメガネ。
【発明の詳細な説明】
【技術分野】
【０００１】
本発明は、複数種類の画像を表示する表示装置、及び、複数種類の画像を視認するためのシャッタメガネに関する。
【背景技術】
【０００２】
従来、複数の視点画像（例えば、左目視点画像及び右目視点画像）によって構成される立体画像が知られている各視点画像は、異なる視点位置（例えば、左目視点位置及び右目用視点位置）から撮像された画像である。
【０００３】
ここで、ユーザがメガネをかけることによって、左目視点画像及び右目視点画像を交互に視認することが知られている。例えば、メガネとしては、左眼及び右眼のそれぞれに対応する位置にシャッタが設けられており、一方のシャッタが開いているときに、他方のシャッタが閉じるように構成されたシャッタメガネが考えられる。
【０００４】
このようなメガネを利用するケースでは、左目視点画像及び右目視点画像の間に存在する視差を利用して立体画像が視認されるため、左目視点画像及び右目視点画像の位置関係が崩れない姿勢で観察者が左目視点画像及び右目視点画像を視認する必要がある。このような前提下において、観察者の姿勢を検出するために、観察者がかけているメガネの傾きを検出する技術が提案されている（例えば、特許文献１）。
【先行技術文献】
【特許文献】
【０００５】
【特許文献１】特開２００６−８４９６３号公報
【発明の概要】
【発明が解決しようとする課題】
【０００６】
しかしながら、上述した技術では、メガネの傾きを検出しているに過ぎず、表示装置に対する観察者の相対的な位置を特定することができない。
【０００７】
そこで、本発明は、上述した課題を解決するためになされたものであり、観察者の位置を特定することを可能とする表示装置及びシャッタメガネを提供することを目的とする。
【課題を解決するための手段】
【０００８】
第１の特徴に係る表示装置（表示装置１００）は、複数種類の画像を表示する。表示装置は、少なくとも２以上の発光部（発光部１１０）と、前記少なくとも２以上の発光部を制御する制御部（制御部１３０）とを備える。前記少なくとも２以上の発光部は、所定の間隔を空けて配置されている。前記制御部は、前記少なくとも２以上の発光部が所定周期で発光するように、前記少なくとも２以上の発光部を制御する。
【０００９】
第１の特徴において、前記表示装置が映像を表示する表示面は、水平面である。
【００１０】
第１の特徴において、前記表示装置は、投写型映像表示装置であり、前記表示面は、前記投写型映像表示装置によって映像が投写される面である。
【００１１】
第１の特徴において、前記複数種類の画像は、少なくとも右眼画像及び左眼画像を含む立体画像である。
【００１２】
第２の特徴に係るシャッタメガネ（シャッタメガネ２００）は、表示装置によって表示される複数種類の画像を視認するためのメガネである。シャッタメガネは、１対のシャッタと、制御部（制御部２３０）と、受光部（受光部２２０）とを備える。前記表示装置は、所定の間隔を空けて配置されており、所定周期で発光する少なくとも２以上の発光部を有する。前記受光部は、前記少なくとも２以上の発光部から出射される光を受光する。前記制御部は、前記受光部によって受光される光の受光間隔に基づいて、前記表示装置に対する前記シャッタメガネの相対的な位置を特定する。前記制御部は、特定された位置に基づいて、前記１対のシャッタを制御する。
【発明の効果】
【００１３】
本願によれば、観察者の位置を特定することを可能とする表示装置及びシャッタメガネを提供することができる。
【図面の簡単な説明】
【００１４】
【図１】図１は、第１実施形態に係る表示装置１００を示す図である。
【図２】図２は、第１実施形態に係るシャッタメガネ２００を示す図である。
【図３】図３は、第１実施形態に係る位置特定例１を示す図である。
【図４】図４は、第１実施形態に係る位置特定例１を示す図である。
【図５】図５は、第１実施形態に係る位置特定例１を示す図である。
【図６】図６は、第１実施形態に係る位置特定例１を示す図である。
【図７】図７は、第１実施形態に係る位置特定例１を示す図である。
【図８】図８は、第１実施形態に係る位置特定例２を示す図である。
【図９】図９は、第１実施形態に係る位置特定例３を示す図である。
【図１０】図１０は、第１実施形態に係る位置特定例４を示す図である。
【図１１】図１１は、第１実施形態に係る位置特定例４を示す図である。
【図１２】図１２は、変更例１に係る発光部１１０を示す図である。
【図１３】図１３は、利用シーン１に係る発光部１１０を示す図である。
【図１４】図１４は、利用シーン２に係る発光部１１０を示す図である。
【図１５】図１５は、利用シーン２に係る発光部１１０を示す図である。
【図１６】図１６は、利用シーン３に係る発光部１１０を示す図である。
【発明を実施するための形態】
【００１５】
以下において、本発明の実施形態に係る表示装置について、図面を参照しながら説明する。なお、以下の図面の記載において、同一又は類似の部分には、同一又は類似の符号を付している。
【００１６】
［実施形態の概要］
実施形態に係る表示装置は、複数種類の画像を表示する。表示装置は、少なくとも２以上の発光部と、前記少なくとも２以上の発光部を制御する制御部とを備える。前記少なくとも２以上の発光部は、所定の間隔を空けて配置されている。前記制御部は、前記少なくとも２以上の発光部が所定周期で発光するように、前記少なくとも２以上の発光部を制御する。
【００１７】
実施形態では、制御部は、所定の間隔を空けて配置された少なくとも２以上の発光部が所定周期で発光するように、少なくとも２以上の発光部を制御する。従って、発光部から発光される光の発光間隔によって、表示装置に対するシャッタメガネの相対的な位置を特定することが可能である。
【００１８】
実施形態に係るシャッタメガネは、表示装置によって表示される複数種類の画像を視認するためのメガネである。シャッタメガネは、１対のシャッタと、制御部と、受光部とを備える。前記表示装置は、所定の間隔を空けて配置されており、所定周期で発光する少なくとも２以上の発光部を有する。前記受光部は、前記少なくとも２以上の発光部から出射される光を受光する。前記制御部は、前記受光部によって受光される光の受光間隔に基づいて、前記表示装置に対する前記シャッタメガネの相対的な位置を特定する。前記制御部は、特定された位置に基づいて、前記１対のシャッタを制御する。
【００１９】
実施形態では、受光部は、所定周期で発光する２以上の発光部から出射される光を受光する。従って、受光部によって受光される光の受光間隔に基づいて、表示装置に対するシャッタメガネの相対的な位置を特定することが可能である。
【００２０】
なお、複数種類の画像は、例えば、複数の視点画像（左目視点画像や右目視点画像）であり、立体画像を構成する。或いは、複数種類の画像は、異なる観察者に視認させる画像である。
【００２１】
［第１実施形態］
（表示装置の構成）
以下において、第１実施形態に係る表示装置について説明する。図１は、第１実施形態に係る表示装置１００を示す図である。
【００２２】
表示装置１００は、少なくとも２つの発光部１１０と、表示部１２０と、制御部１３０とを有する。なお、第１実施形態では、２つの発光部１１０（発光部１１０Ａ及び発光部１１０Ｂ）が設けられるケースについて説明する。
【００２３】
発光部１１０は、光を出射する。発光部１１０は、可視光を出射してもよく、赤外光を出射してもよく、紫外光を出射してもよい。
【００２４】
詳細には、発光部１１０Ａ及び発光部１１０Ｂは、所定の間隔を空けて配置されており、所定周期で発光する。発光部１１０Ａの光出射周期は、発光部１１０Ｂの光出射周期と同じであることが好ましい。発光部１１０Ａから光が出射されるタイミングが発光部１１０Ｂから光が出射されるタイミングと異なっていることが好ましい。
【００２５】
表示部１２０は、液晶ディスプレイ、プラズマディスプレイなどのディスプレイである。或いは、表示装置１００がプロジェクタである場合には、表示部１２０は、液晶パネル、投写ユニット及びスクリーン（投写面）などである。
【００２６】
制御部１３０は、表示装置１００を制御する。詳細には、制御部１３０は、発光部１１０Ａ及び発光部１１０Ｂが所定周期で発光するように、発光部１１０Ａ及び発光部１１０Ｂを制御する。
【００２７】
（シャッタメガネの構成）
以下において、第１実施形態に係るシャッタメガネについて説明する。図２は、第１実施形態に係るシャッタメガネ２００を示す図である。
【００２８】
図２に示すように、シャッタメガネ２００は、１対のシャッタ２１０（シャッタ２１０Ａ及びシャッタ２１０Ｂ）と、受光部２２０と、制御部２３０とを有する。
【００２９】
シャッタ２１０は、開状態及び閉状態を時分割で切替え可能に構成される。詳細には、シャッタ２１０Ａは、右眼及び左眼のうち、一方の眼に光を到達されるか否かを切り替える。シャッタ２１０Ｂは、右眼及び左眼のうち、他方の眼に光を到達されるか否かを切り替える。シャッタ２１０Ａが開状態である場合に、シャッタ２１０Ｂは閉状態であり、シャッタ２１０Ｂが開状態である場合に、シャッタ２１０Ａは閉状態である。
【００３０】
受光部２２０は、少なくとも２つの発光部１１０から出射される光を受光する。なお、少なくとも２つの発光部１１０は、上述したように、所定周期で発光する。
【００３１】
制御部２３０は、シャッタメガネ２００を制御する。詳細には、制御部２３０は、発光部１１０によって受光される光の受光間隔に基づいて、表示装置１００に対するシャッタメガネ２００の相対的な位置を特定する。制御部２３０は、特定された位置に基づいて、１対のシャッタ２１０を制御する。
【００３２】
なお、少なくとも２つの発光部１１０が光を発光する周期（発光部１１０の発光間隔）は、制御部２３０にとって既知であることに留意すべきである。
【００３３】
（位置の特定例１）
以下において、位置の特定例１について説明する。図３〜図７は、位置の特定例１を説明するための図である。
【００３４】
また、図３に示すように、シャッタメガネ２００が位置＃１〜位置＃５のいずれかに位置するケースについて例示する。発光部１１０Ａ及び発光部１１０Ｂは、所定の間隔Ｄを空けて配置される。
【００３５】
なお、位置＃１は、発光部１１０Ａ及び発光部１１０Ｂを結ぶ線を底辺とする二等辺三角形の頂点である。ここでは、位置＃１は、表示装置１００の正面を示す位置である。位置＃２及び位置＃４は、位置＃１に対してＬ側の位置であり、位置＃３及び位置＃５は、位置＃１に対してＲ側の位置である。
【００３６】
図４に示すように、発光部１１０Ｂが発光するタイミングから発光部１１０Ａが発光するタイミングまでの発光間隔がＴ０であり、発光部１１０Ａが発光するタイミングから発光部１１０Ｂが発光するタイミングまでの発光間隔がＴ１である。なお、発光部１１０Ａ及び発光部１１０Ｂは、同じ周期（発光間隔Ｔ０＋発光間隔Ｔ１）で発光する。
【００３７】
シャッタメガネ２００が位置＃１に位置するケースでは、発光部１１０Ａから位置＃１までの距離は、発光部１１０Ｂから位置＃１までの距離と同じである。従って、発光部１１０Ｂから受光するタイミングから発光部１１０Ａから受光するタイミングまでの受光間隔Ｔ１０は、発光間隔Ｔ０と同じである。また、発光部１１０Ａから受光するタイミングから発光部１１０Ｂから受光するタイミングまでの受光間隔Ｔ１１は、発光間隔Ｔ１と同じである。
【００３８】
シャッタメガネ２００が位置＃２に位置するケースでは、発光部１１０Ａから位置＃２までの距離は、発光部１１０Ｂから位置＃２までの距離よりも長い。従って、発光部１１０Ｂから受光するタイミングから発光部１１０Ａから受光するタイミングまでの受光間隔Ｔ２０は、発光間隔Ｔ０よりも長い。また、発光部１１０Ａから受光するタイミングから発光部１１０Ｂから受光するタイミングまでの受光間隔Ｔ２１は、発光間隔Ｔ１よりも短い。
【００３９】
シャッタメガネ２００が位置＃３に位置するケースでは、発光部１１０Ａから位置＃３までの距離は、発光部１１０Ｂから位置＃３までの距離よりも短い。従って、発光部１１０Ｂから受光するタイミングから発光部１１０Ａから受光するタイミングまでの受光間隔Ｔ３０は、発光間隔Ｔ０よりも短い。また、発光部１１０Ａから受光するタイミングから発光部１１０Ｂから受光するタイミングまでの受光間隔Ｔ３１は、発光間隔Ｔ１よりも長い。
【００４０】
このように、シャッタメガネ２００が位置＃１以外である場合には、シャッタメガネ２００の受光間隔が既知の発光間隔と異なるため、制御部２３０は、表示装置１００に対するシャッタメガネ２００の相対的な位置が位置＃１からずれた量（ずれ量）を特定することができる。
【００４１】
但し、以下に示すように、発光間隔Ｔ０又は発光間隔Ｔ１の長さによっては、発光間隔Ｔ０又は発光間隔Ｔ１と等しい受光間隔が現れる位置が存在する可能性がある。
【００４２】
第１に、図３に示すＬ側では、図５に示すように、位置＃４において発光部１１０Ａから受光するタイミング＃４Ａは、位置＃１において発光部１１０Ａから受光するタイミング＃１Ａに対して遅れる。従って、Ｔ１＞Ｔ０のときに、Ｔ１−Ｔ０＝Ｄ／Ｃ（但し、Ｃは光速）の関係が満たされる場合には、位置＃４において発光部１１０Ａから受光するタイミングから発光部１１０Ｂから受光するタイミングまでの受光間隔が発光間隔Ｔ０と等しくなる。また、Ｔ１−Ｔ０≦Ｄ／Ｃの関係が満たされる場合には、Ｌ側のいずれかの位置において、発光部１１０Ａから受光するタイミングから発光部１１０Ｂから受光するタイミングまでの受光間隔が発光間隔Ｔ０と等しくなる。
【００４３】
図５では図示していないが、Ｒ側では、位置＃５において発光部１１０Ｂから受光するタイミングは、位置＃１において発光部１１０Ｂから受光するタイミング＃１Ｂに対して遅れる。従って、Ｔ１＜Ｔ０のときに、Ｔ０−Ｔ１＝Ｄ／Ｃ（但し、Ｃは光速）の関係が満たされる場合には、位置＃５において発光部１１０Ｂから受光するタイミングから発光部１１０Ａから受光するタイミングまでの受光間隔が発光間隔Ｔ１と等しくなる。また、Ｔ１−Ｔ０≦Ｄ／Ｃの関係が満たされる場合には、Ｒ側のいずれかの位置において、発光部１１０Ｂから受光するタイミングから発光部１１０Ａから受光するタイミングまでの受光間隔が発光間隔Ｔ１と等しくなる。
【００４４】
従って、発光間隔Ｔ０及び発光間隔Ｔ１は、｜Ｔ１−Ｔ０｜＞閾値（Ｄ／Ｃ）の関係を満たすことが好ましい。
【００４５】
なお、タイミングが遅れる量の上限については、表示装置１００に対するシャッタメガネ２００の相対的な位置を特定すべき範囲によって定まる。すなわち、位置＃４や位置＃５において位置を特定する必要が無ければ、上述した閾値の値は、Ｄ／Ｃよりも小さな値であってもよい。
【００４６】
第２に、図３に示すＲ側では、図６に示すように、位置＃５において発光部１１０Ａから受光するタイミング＃５Ａは、位置＃１において発光部１１０Ａから受光するタイミング＃１Ａに対して早まる。従って、Ｔ０≦Ｄ／Ｃの関係が満たされる場合に、Ｒ側において、２つの位置で受光間隔が等しくなるケースが生じる。
【００４７】
また、Ｔ０≦Ｄ／２Ｃの関係が満たされる場合には、Ｌ側のある位置とＲ側のある位置とにおいて受光間隔が等しくなるケースが生じる。
【００４８】
従って、発光間隔Ｔ０は、Ｔ０＞Ｄ／Ｃの関係を満たすことが好ましい。また、シャッタメガネ２００の位置が位置＃１に対してＬ側であるのかＲ側であるのかを特定するためには、発光間隔Ｔ０は、Ｔ０＞Ｄ／２Ｃの関係を満たすことが好ましい。
【００４９】
第３に、図３に示すＬ側では、図７に示すように、位置＃４において発光部１１０Ａから受光するタイミング＃４Ａは、位置＃１において発光部１１０Ａから受光するタイミング＃１Ａに対して遅れる。従って、Ｔ１≦Ｄ／Ｃの関係が満たされる場合に、Ｌ側において、２つの位置で受光間隔が等しくなるケースが生じる。
【００５０】
また、Ｔ１≦Ｄ／２Ｃの関係が満たされる場合には、Ｌ側のある位置とＲ側のある位置とにおいて受光間隔が等しくなるケースが存在する。
【００５１】
従って、発光間隔Ｔ１は、Ｔ１＞Ｄ／Ｃの関係を満たすことが好ましい。また、シャッタメガネ２００の位置が位置＃１に対してＬ側であるのかＲ側であるのかを特定するためには、発光間隔Ｔ１は、Ｔ１＞Ｄ／２Ｃの関係を満たすことが好ましい。
【００５２】
これらを纏めると、シャッタメガネ２００の位置が位置＃１からずれていることを特定するためには、以下の条件が満たされていることが好ましい。
【００５３】
｜Ｔ１−Ｔ０｜＞閾値（Ｄ／Ｃ）
Ｔ０＞Ｄ／Ｃ
Ｔ１＞Ｄ／Ｃ
また、シャッタメガネ２００の位置が位置＃１に対してＬ側であるのかＲ側であるのかを特定するためには、以下の条件が満たされていることが好ましい。
【００５４】
｜Ｔ１−Ｔ０｜＞閾値（Ｄ／Ｃ）
Ｔ０＞Ｄ／２Ｃ
Ｔ１＞Ｄ／２Ｃ
（位置の特定例２）
以下において、位置の特定例２について説明する。図８は、位置の特定例２を説明するための図である。
【００５５】
位置の特定例２では、図８に示すように、１回の発光において、発光部１１０がパルス点灯を行う。例えば、発光部１１０Ａは、３回のパルス点灯を行っており、発光部１１０Ｂは、２回のパルス点灯を行っている。
【００５６】
これによって、発光部１１０から出射される光を受光部２２０が受光しやすくなり、耐ノイズ性が向上する。
【００５７】
さらに、各発光部１１０から出射される光を識別することができるため、発光間隔Ｔ０及び発光間隔Ｔ１は、位置の特定例１で説明する条件を満たしている必要がない。
【００５８】
（位置の特定例３）
以下において、位置の特定例３について説明する。図９は、位置の特定例３を説明するための図である。
【００５９】
位置の特定例３では、図９に示すように、各発光部１１０から出射される光の強度が異なっている。例えば、発光部１１０Ｂから出射される光量は、発光部１１０Ａから出射される光量よりも大きい。
【００６０】
これによって、各発光部１１０から出射される光を識別することができるため、発光間隔Ｔ０及び発光間隔Ｔ１は、位置の特定例１で説明する条件を満たしている必要がない。
【００６１】
なお、光の強度と同様に、各発光部１１０から出射される光の波長が異なっていてもよい。また、受光部２２０は、各発光部１１０から出射される光のそれぞれを別々に受光する。例えば、発光部１１０Ａから出射される光の波長は、発光部１１０Ｂから出射される光の波長と異なっている。ここで、受光部２２０としては、２つの受光部２２０が設けられる。一方の受光部２２０は、発光部１１０Ａから出射される光を透過して、発光部１１０Ｂから出射される光を遮光するフィルタを有する。他方の受光部２２０は、発光部１１０Ａから出射される光を遮光して、発光部１１０Ｂから出射される光を透過するフィルタを有する。
【００６２】
このようなケースにおいても、各発光部１１０から出射される光を識別することができるため、発光間隔Ｔ０及び発光間隔Ｔ１は、位置の特定例１で説明する条件を満たしている必要がない。
【００６３】
（位置の特定例４）
以下において、位置の特定例４について説明する。図１０〜図１１は、位置の特定例４を説明するための図である。
【００６４】
位置の特定例４では、図１０に示すように、各発光部１１０から出射される光は、同様の指向性を有している。また、位置＃１において各発光部１１０から受光する光量が等しくなるように、各発光部１１０から出射される光の指向性が定められている。
【００６５】
図１１に示すように、位置＃１においては、発光部１１０Ｂから出射される光の受光量が発光部１１０Ａから出射される光の受光量と等しい。位置＃２においては、発光部１１０Ｂから出射される光の受光量が発光部１１０Ａから出射される光の受光量よりも大きい。位置＃３においては、発光部１１０Ａから出射される光の受光量が発光部１１０Ｂから出射される光の受光量よりも大きい。
【００６６】
これによって、各位置において各発光部１１０から受光する光量の大小に応じて、シャッタメガネ２００の位置が位置＃１に対してＬ側（発光部１１０Ｂ側）であるのかＲ側（発光部１１０Ａ側）であるのかを特定することが可能である。
【００６７】
（作用及び効果）
第１実施形態では、表示装置１００（制御部１３０）は、所定の間隔を空けて配置された少なくとも２以上の発光部１１０が所定周期で発光するように、少なくとも２以上の発光部１１０を制御する。従って、発光部１１０から発光される光の発光間隔によって、表示装置１００に対するシャッタメガネ２００の相対的な位置を特定することが可能である。
【００６８】
第１実施形態では、シャッタメガネ２００（受光部２２０）は、所定周期で発光する２以上の発光部１１０から出射される光を受光する。従って、受光部２２０によって受光される光の受光間隔に基づいて、表示装置１００に対するシャッタメガネ２００の相対的な位置を特定することが可能である。
【００６９】
［変更例１］
以下において、第１実施形態の変更例１について説明する。以下においては、第１実施形態に対する相違点について主として説明する。
【００７０】
変更例１では、図１２に示すように、表示装置１００によって映像が表示される表示領域の一部が発光部１１０（発光部１１０Ａ及び発光部１１０Ｂ）として用いられる。例えば、表示装置１００がプロジェクタである場合には、表示領域は、映像光が投写される投写領域である。
【００７１】
このとき、表示領域に映像を表示する期間の間に、発光部１１０から光を発光する期間を設けて、発光期間において発光部１１０が発光するように発光部１１０が制御されることが好ましい。
【００７２】
また、発光期間において発光部１１０のみが発光すると、発光部１１０Ａとして用いる領域、発光部１１０Ｂとして用いる領域、及び、発光部１１０として用いる領域以外の領域の間において、コントラストが異なってしまう。従って、発光部１１０Ａとして用いる領域、発光部１１０Ｂとして用いる領域、及び、発光部１１０として用いる領域以外の領域が順に発光するように制御されることが好ましい。これによって、全ての表示領域においてコントラストが一定となる。
【００７３】
或いは、発光期間において、シャッタメガネ２００に設けられる１対のシャッタ２１０の双方が閉状態となるようにシャッタメガネ２００が制御されてもよい。これによって、シャッタメガネ２００を介して観察者が観察する映像のコントラストが一定となる。
【００７４】
［利用シーン］
以下において、第１実施形態の利用シーンについて説明する。以下においては、上述した位置＃１、すなわち、表示装置１００の正面を示す位置は、位置＃Ｆで示されている。表示装置１００を向いた場合に、位置＃Ｆに対して左側の位置は、位置＃Ｌで示されており、位置＃Ｆに対して右側の位置は、位置＃Ｒで示されている。
【００７５】
なお、各利用シーンでは、表示装置１００として、床面（すなわち、水平面）に映像を投写する投写型映像表示装置（プロジェクタ）が例示されている。すなわち、表示装置１００が映像を表示する表示面が水平面であるケースについて例示する。
【００７６】
（利用シーン１）
利用シーン１では、図１３に示すように、観察者Ａ及び観察者Ｂが向かい合っている。例えば、利用シーン１は、観察者Ａ及び観察者Ｂが対戦型ゲームを行っているシーンである。
【００７７】
このようなケースにおいて、時刻ｔ１において、観察者Ａに装着されるシャッタメガネ２００Ａは、左眼のシャッタ２１０を閉状態に制御し、右眼のシャッタ２１０を開状態に制御する。一方で、観察者Ｂに装着されるシャッタメガネ２００Ｂは、右眼のシャッタ２１０を閉状態に制御し、左眼のシャッタ２１０を開状態に制御する。
【００７８】
一方で、時刻ｔ２において、観察者Ａに装着されるシャッタメガネ２００Ａは、右眼のシャッタ２１０を閉状態に制御し、左眼のシャッタ２１０を開状態に制御する。一方で、観察者Ｂに装着されるシャッタメガネ２００Ｂは、左眼のシャッタ２１０を閉状態に制御し、右眼のシャッタ２１０を開状態に制御する。
【００７９】
これによって、互いに向かい合った観察者Ａ及び観察者Ｂが立体画像を視認することができる。なお、シャッタメガネ２００Ａ及びシャッタメガネ２００Ｂは、第１実施形態に記載された手法を用いて、表示装置１００に対する相対的な位置を特定することに留意すべきである。
【００８０】
（利用シーン２）
利用シーン２では、図１４に示すように、シャッタメガネ２００の位置が位置＃Ｆである場合に、シャッタメガネ２００は、１対のシャッタ２１０のうち、一方のシャッタ２１０を開状態に制御し、他方のシャッタ２１０を閉状態に制御する。また、シャッタメガネ２００は、１対のシャッタ２１０のうち、他方のシャッタ２１０を開状態に制御し、一方のシャッタ２１０を閉状態に制御する。このような処理が繰り返されることによって、観察者Ａが立体画像を視認することができる。
【００８１】
一方で、シャッタメガネ２００の位置が位置＃Ｌ又は位置＃Ｒである場合に、シャッタメガネ２００は、１対のシャッタ２１０の双方を閉状態に制御する。或いは、シャッタメガネ２００の位置が位置＃Ｌ又は位置＃Ｒである場合に、シャッタメガネ２００は、１対のシャッタ２１０の双方を開状態に制御する。これによって、観察者Ａは、位置＃Ｆに位置していないことを容易に把握することができる。すなわち、観察者Ａは、正しい位置に位置していないことを容易に把握することができる。
【００８２】
或いは、図１５に示すように、シャッタメガネ２００の位置が位置＃Ｌ又は位置＃Ｒである場合に、シャッタメガネ２００は、１対のシャッタ２１０の双方が同期して開状態及び閉状態を繰り返すように、１対のシャッタ２１０を制御する。これによって、観察者Ａは、位置＃Ｌ又は位置＃Ｒにおいて、２次元画像を視認することができる。
【００８３】
（利用シーン３）
利用シーン３では、図１６に示すように、観察者Ａ及び観察者Ｂが向かい合っている。
【００８４】
このようなケースにおいて、時刻ｔ１において、観察者Ａに装着されるシャッタメガネ２００Ａは、１対のシャッタ２１０の双方を閉状態に制御する。一方で、観察者Ｂに装着されるシャッタメガネ２００Ｂは、１対のシャッタ２１０の双方を開状態に制御する。
【００８５】
時刻ｔ２において、観察者Ａに装着されるシャッタメガネ２００Ａは、１対のシャッタ２１０の双方を開状態に制御する。一方で、観察者Ｂに装着されるシャッタメガネ２００Ｂは、１対のシャッタ２１０の双方を閉状態に制御する。これによって、観察者Ａ及び観察者Ｂは、２次元画像を視認することができる。
【００８６】
また、シャッタメガネ２００Ａのシャッタ２１０が開状態である時刻（上述した時刻ｔ２）で表示する画像（以下、観察者Ａ用画像）は、シャッタメガネ２００Ｂのシャッタ２１０が開状態である時刻（上述した時刻ｔ１）で表示する画像（以下、観察者Ｂ用画像）と異なっていてもよい。
【００８７】
例えば、観察者Ａ用画像が左目視点画像であり、観察者Ｂ用画像が右目視点画像であってもよい。或いは、観察者Ａ用画像及び観察者Ｂ用画像が全く異なる種類の画像であってもよい。
【００８８】
例えば、トランプゲームなどのように、自分用の画像を相手に見せたくない場合に、利用シーン３を適用することができる。
【００８９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９０】
実施形態では、床面に映像を投写するケースに例示したが、実施形態は、これに限定されるものではない。具体的には、壁面に映像を投写するケースについても、実施形態を適用可能なことは明らかである。
【００９１】
実施形態では特に触れていないが、表示装置１００に対するシャッタメガネ２００の相対的な位置として、鉛直方向の高さを特定することも可能である。シャッタメガネ２００の高さが所定高さよりも低い場合には、シャッタメガネ２００は、１対のシャッタ２１０の双方が同期して開状態及び閉状態を繰り返すように、１対のシャッタ２１０を制御してもよい。言い換えると、観察者が寝ころんでいる可能性が高い場合に、２次元画像を観察者に視認させることができる。なお、観察者が寝ころんでいる場合には、立体画像を視認することができないことに留意すべきである。
【００９２】
また、シャッタメガネ２００の高さが所定高さよりも低い場合には、シャッタメガネ２００が装着されていない状態であることも考えられる。従って、シャッタメガネ２００の高さが所定高さよりも低い場合に、シャッタメガネ２００の電源をオフにしてもよい。或いは、シャッタメガネ２００の高さが所定高さよりも低い場合に、シャッタメガネ２００を待機状態（省電力状態）に移行して、シャッタメガネ２００の高さが所定高さよりも高い場合に、シャッタメガネ２００を待機状態（省電力状態）を解除して、通常状態に移行してもよい。
【００９３】
実施形態では、発光部１１０が２つであるケースについて説明した。しかしながら、実施形態は、これに限定されるものではない。例えば、３つ以上の発光部１１０が設けられていてもよい。このような場合には、表示装置１００に対するシャッタメガネ２００の相対的な位置を３次元空間において特定することが可能である。
【００９４】
実施形態では特に触れていないが、表示装置１００からシャッタメガネ２００に送信される同期信号を用いて、表示装置１００に対するシャッタメガネ２００の相対的な位置を特定してもよい。このようなケースでは、表示装置１００は、複数の発信源から同期信号を出力する。同期信号は、１対のシャッタ２１０を制御するタイミングを左目視点画像及び右目視点画像が表示されるタイミングと同期するための信号である。
【００９５】
なお、同期信号は、発光部１１０から出射される光（例えば、赤外光）によって搬送されることに留意すべきである。
【００９６】
このようなケースでは、例えば、Ｄ＝０．３ｍ、Ｃ＝３００００００００ｍ／ｓである場合に、発光部１１０の間隔Ｄによって生じる遅延時間ΔＴは、０．００００００００１ｓ（１ｎｓ）である。１２０Ｈｚで左目視点画像及び右目視点画像を交互に表示する場合において、左目視点画像（又は、右目視点画像）の表示時間は、８．３ｍｓである。従って、発光部１１０の間隔Ｄによって生じる遅延時間ΔＴは、同期信号としての機能に影響を与えない。一方で、表示装置１００に対するシャッタメガネ２００の相対的な位置を特定するために、上述した制御部２３０は、１０ＧＨｚの周波数を判別可能な電子回路によって構成されていればよい。
【００９７】
なお、発光部１１０から出射される光（以下、方向特定用信号）が同期信号と異なる場合には、方向特定用信号が同期信号と干渉しないことが好ましい。例えば、方向特定用信号の搬送に用いる光のパターンは、同期信号の搬送に用いる光のパターンと異なることが好ましい。或いは、方向特定用信号の搬送に用いる光の波長帯は、同期信号の搬送に用いる光の波長帯と異なることが好ましい。
【符号の説明】
【００９８】
１００…表示装置、１１０…発光部、１２０…表示部、１３０…制御部、２００…シャッタメガネ、２１０…シャッタ、２２０…受光部、２３０…制御部
【図１】
2012249157.tif 000003
【図２】
2012249157.tif 000004
【図３】
2012249157.tif 000005
【図４】
2012249157.tif 000006
【図５】
2012249157.tif 000007
【図６】
2012249157.tif 000008
【図７】
2012249157.tif 000009
【図８】
2012249157.tif 000010
【図９】
2012249157.tif 000011
【図１０】
2012249157.tif 000012
【図１１】
2012249157.tif 000013
【図１２】
2012249157.tif 000014
【図１３】
2012249157.tif 000015
【図１４】
2012249157.tif 000016
【図１５】
2012249157.tif 000017
【図１６】
2012249157.tif 000018